(57)【要約】【課題】  組み立てが難しい部品の点数を減らし、組み立ての際の取り付けが容易になるために、組み立ての際の歩留まり向上を図ることができる対物レンズ駆動装置を提供すること。【解決手段】  光ピックアップに用いられ、対物レンズ６を備えるとともに、前記対物レンズ６をフォーカシング（Ｆ）方向に移動させるためのフォーカシングコイル２と、前記対物レンズ６を前記フォーカシング（Ｆ）方向に交差するトラッキング（Ｔｒ）方向に沿って移動させるためのトラッキングコイル８とを備えた対物レンズホルダ１０を駆動する対物レンズ駆動装置１００において、前記トラッキングコイル８を１個、前記フォーカシング（Ｆ）方向に沿うように立設した。【選択図】      図１
2005190587.tif 000002
【特許請求の範囲】
【請求項１】
光ピックアップに用いられ、対物レンズと、前記対物レンズをフォーカシング方向に移動させるためのフォーカシングコイルと、前記対物レンズを前記フォーカシング方向に交差するトラッキング方向に沿って移動させるためのトラッキングコイルとを備えた対物レンズホルダにおいて、
前記トラッキングコイルを１個、前記フォーカシング方向に沿うように立設したことを特徴とする対物レンズホルダ。
【請求項２】
請求項１に記載の対物レンズホルダにおいて、前記フォーカシングコイルを前記トラッキング方向に沿うように２個連設したことを特徴とする対物レンズホルダ。
【請求項３】
光ピックアップに用いられ、対物レンズと、前記対物レンズをフォーカシング方向に移動させるためのフォーカシングコイルと、前記対物レンズを前記フォーカシング方向に交差するトラッキング方向に沿って移動させるためのトラッキングコイルとを備えた対物レンズホルダを駆動する対物レンズ駆動装置において、前記トラッキングコイルを１個、前記フォーカシング方向に沿うように立設したことを特徴とする対物レンズ駆動装置。
【請求項４】
請求項３に記載の対物レンズ駆動装置において、前記フォーカシングコイルを前記トラッキング方向に沿うように２個連設したことを特徴とする対物レンズ駆動装置。
【請求項５】
請求項４に記載の対物レンズ駆動装置において、前記フォーカシングコイルを夫々貫通して配置された２個の第１の磁石と、前記トラッキングコイルを介して前記第１の磁石と夫々対向した２個の第２の磁石とを備えていることを特徴とする対物レンズ駆動装置。
【請求項６】
請求項３乃至５のいずれか一つに記載の対物レンズ駆動装置を備えていることを特徴とする光ピックアップ。
【発明の詳細な説明】
【技術分野】
【０００１】
本発明は、光ディスクドライブの光ピックアップに用いられる対物レンズ駆動装置に関し、特にその対物レンズホルダに関する。
【背景技術】
【０００２】
光ディスクドライブは、光ディスク（ＣＤ，ＣＤ−ＲＯＭ，ＣＤ−Ｒ，ＣＤ−ＲＷ，ＤＶＤ−ＲＯＭ、ＤＶＤ＋Ｒ、ＤＶＤ−Ｒ、ＤＶＤ−ＲＡＭ、ＤＶＤ＋ＲＷ、ＤＶＤ−ＲＷ、等）に記録された情報を読み出したり、あるいは情報を書き込んだりするための装置である。この種の光ディスクドライブは、光ディスクからの情報の読み出し、あるいは光ディスクへの情報の書き込みを実現するため、光ディスクに対してレーザ光を照射し、またその反射光を検出するための光ピックアップを備えている。
【０００３】
一般に、光ピックアップは、レーザビームを出射するレーザ光源と、この出射されたレーザビームを光ディスクへ導くとともに、その反射光を光検出器へ導く光学系とを備えている。そして、この光学系には、光ディスクに対向するように配置される対物レンズが含まれている。
【０００４】
光ピックアップに用いられる対物レンズは、回転駆動される光ディスクの記録面（トラック）に正確にレーザ光を集光するように、光軸に沿ったフォーカス方向及び光ディスクの半径方向に沿ったトラック方向に関して精度良く位置制御される必要がある。
【０００５】
従来の対物レンズ駆動装置は、フォーカシング制御及びトラッキング制御等を可能にするため、対物レンズを保持する対物レンズホルダを、複数のサスペンションワイヤによって弾性支持している。
【０００６】
また、対物レンズホルダに、フォーカシングコイル及びトラッキングコイルと、任意にチルティングコイルとを巻回しあるいは取り付け、これらのコイルを磁気回路のギャップ内に部分的に位置させている。このような構成において、各コイルに流れる電流を制御することで、従来の対物レンズ駆動装置は、対物レンズの位置及び傾きを微調整することができる。
【０００７】
ところで、ノート型パーソナルコンピュータ（以下、ノートＰＣと呼ぶ）等の光学ディスクドライブにおいては、高さの低い所謂、薄型（スリム型）ドライブが用いられており、そのために光ピックアップ及びそれに用いられる対物レンズ駆動装置も同様に薄型構造をとっている（例えば、特許文献１、参照）。
【０００８】
図５は従来技術による光ピックアップ装置の対物レンズ駆動装置の斜視図である。また、図６は、図５の対物レンズ駆動装置の裏面側から見た斜視図である。  図７は図５及び図６の対物レンズ駆動装置のレンズホルダー部分の斜視図である。図８は図７のレンズホルダーの裏面側から見た斜視図である。なお、特許文献１においても、基本構成は図５乃至図８に記載されたものと同様である。
【０００９】
図５及び図６を参照すると、光ピックアップの対物レンズ駆動装置１１０は、レンズホルダー５０とダンパベース２０とを備えている。
【００１０】
ダンパベース２０は、長さ方向（タンジェンシャルＴｇ方向）両側に、溝２３を介して、長さ方向に設けられた支持部２１，２２を夫々備えている。Ｔｇ方向の両側に夫々上下に一対設けられたサスペンションワイヤ３１は、レンズホルダー５０の固定部５７に夫々一端を固定され、他端は、ダンパーベース２０の支持部２１，２２を貫通して他端から少し突出して、支持部２１，２２に設けられた取り付け部２４，２５で夫々支持されている。
【００１１】
図５及び図６に図７及び図８をも参照すると、レンズホルダー５０は、略三角形状のレンズ装着部５５と、枠型のフレーム部６１とを備えている。レンズ装着部５５の貫通穴５５ａには、対物レンズ５６が装着されている。レンズホルダー５０のフレーム部６１には、角型の貫通穴５１が設けられている。貫通穴５１には、底側の端部から貫通穴５１を狭めるように底板部６１ａが設けられている。また、貫通穴５１の長さ方向の略中央部に幅方向（トラッキングＴｒ方向）に並んで一対のトラッキングコイル５８，５８が設けられている。貫通穴５１のトラッキングコイル５８，５８によって分割される部分の内の端部側の部分の内周面には、巻枠５２ａの周囲に巻回されたフォーカシングコイル部５２が、底板部に一端側を載せるように装着されている。また、レンズホルダー５０のフレーム部６１のトラッキングコイル５８，５８の両側には、夫々一対の合計４本のサスペンションワイヤ３１，３１の一端を固定するための固定部５７が、両側に突出するとともに、夫々上下に一対づつ合計４個設けられている。
【００１２】
図５及び図６に最も良く示されるように、フォーカシングコイル部５２内と、貫通穴５１のトラッキングコイル５８，５８で分割される残りの部分内とを夫々貫通するように、一対の角板状のマグネット５３，５３が設けられている。このマグネット５３，５３の下端は図示しない光学ベースに直接固定されるか、又はＵ字もしくは、光学ベースに形成されたヨークを介して磁気的に接続されている。
【００１３】
このような構成の従来の薄型光ディスクドライブの光ピックアップの対物レンズ駆動装置においては、トラッキングコイル５８が２つトラッキング（Ｔｒ）方向に並んで、起立した形状となっている。そのため、トラッキングコイル５８が起立して２コイル搭載されるために、組み立て時の取り付けが困難であり、組み立て歩留まりの悪化の原因となっていた。
【００１４】
【特許文献１】特開２０００−３２２７５２号公報
【発明の開示】
【発明が解決しようとする課題】
【００１５】
そこで、本発明の一技術的課題は、組み立てが難しい部品の点数を減らし、組み立てが容易になるために組み立ての際の歩留まり向上を図ることができる対物レンズ駆動装置を提供することにある。
【００１６】
また、本発明のもう一つの技術的課題は、強度を向上することができ、共振周波数を高くすることができる対物レンズ駆動装置を提供することにある。
【課題を解決するための手段】
【００１７】
本発明によれば、光ピックアップに用いられ、対物レンズ（６）と、前記対物レンズ（６）をフォーカシング（Ｆ）方向に移動させるためのフォーカシングコイル（２）と、前記対物レンズ（６）を前記フォーカシング（Ｆ）方向に交差するトラッキング（Ｔｒ）方向に沿って移動させるためのトラッキングコイル（８）とを備えた対物レンズホルダ（１０）において、前記トラッキングコイル（８）を１個、前記フォーカシング（Ｆ）方向に沿うように立設したことを特徴とする対物レンズホルダ（１０）が得られる。
【００１８】
また、本発明によれば、前記対物レンズホルダ（１０）において、前記フォーカシングコイル（２）を前記トラッキング方向に沿うように２個連設したことを特徴とする対物レンズホルダが得られる。
【００１９】
また、本発明によれば、光ピックアップに用いられ、対物レンズ（６）と、前記対物レンズ（６）をフォーカシング（Ｆ）方向に移動させるためのフォーカシングコイル（２）と、前記対物レンズ（６）を前記フォーカシング（Ｆ）方向に交差するトラッキング（Ｔｒ）方向に沿って移動させるためのトラッキングコイル（８）とを備えた対物レンズホルダ（１０）を駆動する対物レンズ駆動装置（１００）において、前記トラッキングコイル（８）を１個、前記フォーカシング（Ｆ）方向に沿うように立設したことを特徴とする対物レンズ駆動装置（１００）が得られる。
【００２０】
また、本発明によれば、前記対物レンズ駆動装置（１００）において、前記フォーカシングコイル（８）を前記トラッキング（Ｔｒ）方向に沿うように２個連設したことを特徴とする対物レンズ駆動装置（１００）が得られる。
【００２１】
また、本発明によれば、前記対物レンズ駆動装置（１００）において、前記フォーカシングコイル（８）を夫々貫通する２個の第１の磁石（２，２）と、前記トラッキングコイル（８）を介して前記第１の磁石（２，２）に夫々対向した２個の第２の磁石（４，４）とを備えていることを特徴とする対物レンズ駆動装置（１００）が得られる。
【００２２】
また、本発明によれば、前記いずれか一つの対物レンズ駆動装置（１００）を備えていることを特徴とする光ピックアップが得られる。
【００２３】
ここで、上記括弧内の参照符号は本発明の理解を容易にするために付した一例であって、本発明は、上記参照符号で示された例に限定されるものではないことは勿論である。
【発明の効果】
【００２４】
本発明によれば、トラッキングコイルを１コイルとすることによって、組み立ての際の取り付けが容易になるために、組み立ての際の歩留まり向上を図ることができる対物レンズ駆動装置を提供することができる。
【００２５】
また、本発明によれば、トラッキング用コイルを１コイルとすることによって、レンズ、コイルホルダーの厚みを大きくすることができるために、強度を向上することができ、共振周波数を高くすることができる対物レンズ駆動装置を提供することができる。
【００２６】
さらに、本発明によれば、前記対物レンズ駆動装置を用いた光ピックアップを提供することができる。
【発明を実施するための最良の形態】
【００２７】
以下、本発明の実施の形態について、図面を参照しながら説明する。
【００２８】
図１は本発明の実施の形態による光ピックアップの対物レンズ駆動装置の上面側から眺めた斜視図である。また、図２は、図１の対物レンズ駆動装置の裏面側から眺めた斜視図である。図３は図１及び図２の対物レンズ駆動装置のレンズホルダー部分の上面側から眺めた斜視図である。図４は図３のレンズホルダーの裏面側から見た斜視図である。
【００２９】
図１及び図２を参照すると、光ピックアップの対物レンズ駆動装置１００は、レンズホルダー１０とダンパベース２０とを備えている。ダンパベース２０は従来技術によるものとほぼ同様の構成を有している。
【００３０】
即ち、ダンパベース２０は、両側に長さ（Ｔｇ）方向に溝２３を介して設けられた支持部２１，２２を夫々備えている。サスペンションワイヤ３１は、Ｔｇ方向両側にレンズホルダー１０の固定部９に一端を固定され、他端は、ダンパーベース２０の支持部２１，２２を貫通して他端から少し突出して、取り付け部２４，２５で夫々固定されている。尚、符号２７は光学ベースに固定するための螺子である。
【００３１】
図１及び図２に、図３及び図４をも参照すると、レンズホルダー１０は、略三角形状のレンズ装着部５と枠型のフレーム部１１とを備えている。レンズ装着部５の貫通穴５ａには、対物レンズ６が装着されている。レンズホルダー１０のフレーム部１１には、角型の貫通穴１が設けられている。貫通穴１の長さ方向の略中央部に幅（Ｔｒ）方向に離間して、互いに内側に向かって対向するように仕切り部７，７が設けられており、その仕切り部７，７の間にトラッキングコイル８が設けられている。貫通穴１のトラッキングコイル８及び仕切り部７によって分割される部分の内周面には、巻枠２ａの周囲に巻線を巻回することで形成されたフォーカシングコイル部２が、幅方向に並んで、貫通穴１の一端の内側に突出した底板１１ａに底部の一端側を当接して装着されている。また、レンズホルダー５０のフレーム部１１の仕切り部７両側には、サスペンションワイヤ３１，３１の一端を固定するための固定部９が、両側に突出するとともに、夫々上下と、その中央に２個づつ合計４個設けられている。
【００３２】
図１及び図２に最も良く示されるように、一対のフォーカシングコイル部２内と、貫通穴１のトラッキングコイル８及び仕切り部７とで分割される残りの部分内を夫々貫通するように、両側に一対づつ合計４個の第１のマグネット３，３及び第２のマグネット４，４が設けられている。この第１及び第２のマグネット３，３及び４，４の下端は図示しない光学ベースに直接固定されるか、又はＵ字もしくは、光学ベースに形成されたヨークを介して磁気的に接続されている。
【００３３】
このように、本発明の実施の形態においては、トラッキングコイル８を１コイルとすることによって、組み立ての際の取り付けが容易になるために、組み立ての際の歩留まり向上を図ることができる。
【００３４】
また、本発明の実施の形態によれば、トラッキングコイル８を１コイルとすることによって、レンズ、コイルホルダーの厚みを大きくすることができるために、強度を向上することができ、共振周波数を高くすることができる。
【産業上の利用可能性】
【００３５】
本発明に係る対物レンズ駆動装置は、光ディスクドライブ、特に、薄型の光ディスクドライブの光ピックアップに最適である。
【図面の簡単な説明】
【００３６】
【図１】本発明の実施の形態による光ピックアップの対物レンズ駆動装置の上面側から眺めた斜視図である。
【図２】図１の対物レンズ駆動装置の裏面側から眺めた斜視図である。
【図３】図１及び図２の対物レンズ駆動装置のレンズホルダー部分の斜視図である。
【図４】図３のレンズホルダーの裏面側から見た斜視図である。
【図５】従来技術による光ピックアップ装置の対物レンズ駆動装置の斜視図である。
【図６】図５の対物レンズ駆動装置の裏面側から見た斜視図である。
【図７】図５及び図６の対物レンズ駆動装置のレンズホルダー部分の斜視図である。
【図８】図７のレンズホルダーの裏面側から見た斜視図である。
【符号の説明】
【００３７】
１    貫通穴
２    フォーカシングコイル部
２ａ    巻枠
３，４    マグネット
５    レンズ装着部
５ａ    貫通穴
６    対物レンズ
７    仕切り部
８    トラッキングコイル
９    固定部
１０    レンズホルダー
１１    フレーム部
１１ａ    底板
２０    ダンパベース
２１，２２    支持部
２３    溝
２４，２５    取り付け部
２７    螺子
３１    サスペンションワイヤ
５０    レンズホルダー
５１    貫通穴
５２    フォーカシングコイル部
５２ａ    巻枠
５３    マグネット
５５    レンズ装着部
５５ａ    貫通穴
５６    対物レンズ
５７    固定部
５８    トラッキングコイル
６１    フレーム部
１００、１１０    対物レンズ駆動装置
【図１】
2005190587.tif 000003
【図２】
2005190587.tif 000004
【図３】
2005190587.tif 000005
【図４】
2005190587.tif 000006
【図５】
2005190587.tif 000007
【図６】
2005190587.tif 000008
【図７】
2005190587.tif 000009
【図８】
2005190587.tif 000010